(57)【要約】【課題】マスカラタイプの毛髪用化粧品、特に一時染毛剤化粧品として好適であり、塗布操作中に液垂れや液切れが生じ難く、毛髪の根元から毛先まで一度の操作でムラなく塗布できる毛髪用化粧品を提供する。【解決手段】液状の毛髪化粧料Ｌが内部に収容された容器１と、塗布軸３の一端に塗布体４を備え且つ他端に容器蓋部５を備えた塗布具２と、を有する毛髪用化粧品１００であって、前記毛髪化粧料Ｌは、２５℃における粘度が５，０００ｍＰａ・ｓ以下であり、前記塗布体４は、密度が１５ｋｇ／ｍ３以上９５ｋｇ／ｍ３以下の吸収性部材を備え、且つ該吸収性部材は前記塗布軸３の一端の全周を被覆してなる、毛髪用化粧品１００。【選択図】図２
2020168354.tif 000002
【特許請求の範囲】
【請求項１】
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５，０００ｍＰａ・ｓ以下であり、
前記塗布体は、密度が１５ｋｇ／ｍ３以上９５ｋｇ／ｍ３以下の吸収性部材を備え、且つ該吸収性部材は前記塗布軸の一端の全周を被覆してなる、毛髪用化粧品。
【請求項２】
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５，０００ｍＰａ・ｓ以下であり、
前記塗布体は、密度が１５ｋｇ／ｍ３以上９５ｋｇ／ｍ３以下の吸収性部材から構成され、且つ該塗布体は前記塗布軸の一端の全周を被覆してなる、毛髪用化粧品。
【請求項３】
前記塗布具において、前記塗布体は、前記塗布軸の周方向に回転可能に保持されている請求項１又は２に記載の毛髪用化粧品。
【請求項４】
前記吸収性部材の材質が、ポリウレタンである請求項１〜３のいずれか１項に記載の毛髪用化粧品。
【請求項５】
前記毛髪化粧料が、下記成分（Ａ）〜（Ｃ）を含有する請求項１〜４のいずれか１項に記載の毛髪用化粧品。
（Ａ）着色剤
（Ｂ）シリコーン構造を有する皮膜形成性ポリマー
（Ｃ）非水溶媒
【請求項６】
マスカラタイプの一時染毛剤化粧品である請求項１〜５のいずれか１項に記載の毛髪用化粧品。
【請求項７】
前記毛髪化粧料の２５℃における粘度が５ｍＰａ・ｓ以上１，５００ｍＰａ・ｓ以下である請求項１〜６のいずれか１項に記載の毛髪用化粧品。
【発明の詳細な説明】
【技術分野】
【０００１】
本発明は、毛髪用化粧品に関する。
【背景技術】
【０００２】
染毛剤は、酸化染料を用いて頭髪中で発色させることで着色する永久染毛剤（ヘアカラー等）、直接染料を頭髪に浸透吸収させることで着色する半永久染毛剤（ヘアマニキュア等）、頭髪上に着色剤（主として顔料）を含む着色皮膜を形成させることで着色する一時染毛剤（ヘアマスカラ等）等に分類される。このうち、一時染毛剤は、頭髪へのダメージが少なく、洗髪により容易に除去でき、簡便に用いることができることから、気軽に毛染めを楽しむことができるものとして好まれている。従来の一時染毛剤としては、着色剤を着色皮膜として頭髪上に固着させるとともに、この着色皮膜に耐水性を付与し、また皮膚や衣類への色移りを防止するため、皮膜形成ポリマーを含有させた一時染毛剤組成物等が知られている。
【０００３】
従来の一時染毛剤は白髪染めを目的とするものが主流であり、生え際などの気になる部分に塗布しやすいという観点から、製品形態として、マスカラタイプのものが知られている。
例えば特許文献１には、安全性のより高い黒酸化チタンを含有しつつ、色むらや色落ちが十分少ない染毛を可能とするととともに、二次汚着が十分少なく、使用性及び使用感触をバランスよく達成できる一時染毛料として、エタノールを３５〜８０質量％と、黒酸化チタンと、（メタクリロイルオキシエチルカルボキシベタイン／メタクリル酸アルキル）コポリマーと、ヒドロキシプロピルセルロースと、グリセリンとを含有する一時染毛料が開示されている。当該一時染毛料は、塗布用具としてブラシなどを用いた場合であっても液の飛散を十分少なくできることから、特に、マスカラタイプの一時染毛料として好適であること、染毛料を毛髪の目的部位に塗布する場合に粘度が５０〜３００００ｍＰａ・ｓであると好ましいことも記載されている。
【０００４】
また、毛髪に液状の化粧料を効率よく、あるいは被塗布部となる狭い範囲に塗布するための塗布具として、特許文献２，３には、液状化粧料を含浸可能な弾性体よりなる塗布部材と、複数の櫛歯とを塗布部に設け、かつ所定の形状を有する化粧料塗布具が開示されている。
【先行技術文献】
【特許文献】
【０００５】
【特許文献１】特開２００８−６３２５１号公報
【特許文献２】特開２０１２−２３２１０４号公報
【特許文献３】特開２０１８−１４００１８号公報
【発明の概要】
【発明が解決しようとする課題】
【０００６】
ところで、一時染毛剤の中でも、白髪染めを目的とするものと、ファッション性向上を目的として毛髪に鮮やかな色を付与するものとがある。白髪染め用の染毛剤は主として毛髪の生え際に塗布して使用されるのに対し、ファッション性向上を目的とした一時染毛剤は、毛髪表面に部分的に塗布してメッシュ状に染毛するなどの使用形態も想定される。このような使用形態の一時染毛剤には、長い髪に対しても、毛髪の根元から毛先まで一度の操作（ワンストローク）でムラなく塗布できることが求められる。一時染毛剤を低粘度化すれば毛髪上でののびは良好になると考えられるが、塗布具あるいは塗布後の毛髪から液垂れしやすくなり、取り扱い性や仕上がり面での課題が生じ得る。
【０００７】
本発明は、マスカラタイプの毛髪用化粧品、特に一時染毛剤化粧品として好適であり、塗布操作中に液垂れや液切れが生じ難く、毛髪の根元から毛先まで一度の操作でムラなく塗布できる毛髪用化粧品に関する。
【課題を解決するための手段】
【０００８】
本発明者らは、所定の粘度範囲にある液状の毛髪化粧料と、所定の要件を満たす塗布具とを組み合わせた毛髪用化粧品が上記要求を満たすことを見出した。
すなわち本発明は、下記に関する。
［１］液状の毛髪化粧料が内部に収容された容器と、塗布軸の一端に塗布体を備え且つ他端に容器蓋部を備えた塗布具と、を有する毛髪用化粧品であって、前記毛髪化粧料は、２５℃における粘度が５，０００ｍＰａ・ｓ以下であり、前記塗布体は、密度が１５ｋｇ／ｍ３以上９５ｋｇ／ｍ３以下の吸収性部材を備え、且つ該吸収性部材は前記塗布軸の一端の全周を被覆してなる、毛髪用化粧品。
［２］液状の毛髪化粧料が内部に収容された容器と、塗布軸の一端に塗布体を備え且つ他端に容器蓋部を備えた塗布具と、を有する毛髪用化粧品であって、前記毛髪化粧料は、２５℃における粘度が５，０００ｍＰａ・ｓ以下であり、前記塗布体は、密度が１５ｋｇ／ｍ３以上９５ｋｇ／ｍ３以下の吸収性部材から構成され、且つ該塗布体は前記塗布軸の一端の全周を被覆してなる、毛髪用化粧品。
【発明の効果】
【０００９】
本発明によれば、マスカラタイプの毛髪用化粧品、特に一時染毛剤化粧品として好適であり、塗布操作中に液垂れや液切れが生じ難く、長い髪に対しても毛髪の根元から毛先まで一度の操作でムラなく塗布できる毛髪用化粧品を提供できる。
【図面の簡単な説明】
【００１０】
【図１】本発明の実施形態に係る毛髪用化粧品を構成する塗布具を容器に装着した状態を示す全体図である。
【図２】本発明の実施形態に係る毛髪用化粧品を構成する塗布具を容器に装着した状態を示す縦断面図である。
【図３】本発明の実施形態に係る毛髪用化粧品を構成する塗布具の縦断面図である。
【図４】本発明の実施形態に係る毛髪用化粧品を構成する塗布具の斜視図である。
【図５】本発明の実施形態に係る毛髪用化粧品を構成する容器の縦断面図である。
【図６】試験塗布具２１の側面図である。
【図７】試験塗布具２１及び扱き部材８１の斜視図である。
【図８】比較用の試験塗布具２２を塗布軸の塗布体被覆面から見た側面図である。
【図９】比較用の試験塗布具２２及び扱き部材８２の斜視図である。
【発明を実施するための形態】
【００１１】
［毛髪用化粧品］
本発明の毛髪用化粧品は、液状の毛髪化粧料が内部に収容された容器と、塗布軸の一端に塗布体を備え且つ他端に容器蓋部を備えた塗布具とを有し、毛髪化粧料は２５℃における粘度が５，０００ｍＰａ・ｓ以下であり、塗布体は、密度が１５ｋｇ／ｍ３以上９５ｋｇ／ｍ３以下の吸収性部材を備え、且つ該吸収性部材が塗布軸の一端の全周を被覆してなるものである。好ましくは、本発明の毛髪用化粧品は、液状の毛髪化粧料が内部に収容された容器と、塗布軸の一端に塗布体を備え且つ他端に容器蓋部を備えた塗布具とを有し、毛髪化粧料は２５℃における粘度が５，０００ｍＰａ・ｓ以下であり、塗布体は、密度が１５ｋｇ／ｍ３以上９５ｋｇ／ｍ３以下の吸収性部材から構成され、且つ塗布軸の一端の全周を被覆してなるものである。
本発明の毛髪用化粧品は上記構成を有することにより、液状の毛髪化粧料を毛髪に塗布する際に液垂れや液切れを生じ難く、毛髪の根元から毛先まで一度の操作でムラなく塗布できる。このことから、本発明の毛髪用化粧品はマスカラタイプの毛髪用化粧品として好適である。
マスカラタイプの毛髪用化粧品としては、ヘアマスカラ等の染毛剤化粧品、睫毛用マスカラ等の睫毛用メイクアップ化粧品が挙げられる。中でも本発明の毛髪用化粧品は、マスカラタイプの一時染毛剤化粧品として好適である。
【００１２】
本発明の毛髪用化粧品の構成を、図面を参照して説明する。
図１は本発明の実施形態に係る毛髪用化粧品を構成する塗布具を容器に装着した状態を示す全体図、図２はその縦断面図である。図３は塗布具の縦断面図、図４はその斜視図であり、図５は容器の縦断面図である。
本発明の毛髪用化粧品は、容器内部に収容された一時染毛剤等の液状の毛髪化粧料を、塗布具を用いて毛髪に塗布して使用するものである。
【００１３】
＜容器及び塗布具＞
図１及び図２に示すように、毛髪用化粧品１００は液状の毛髪化粧料Ｌが内部に収容された容器１と、塗布具２とを有するものである。図１及び図２に示す実施形態では、毛髪用化粧品１００における容器１に、塗布具２の塗布軸３の塗布体４側が差し込まれ、塗布体４は、容器１の内部に収容された液状の毛髪化粧料Ｌに浸漬している。
【００１４】
図２〜図４に示すように、塗布具２は、塗布軸３の一端に塗布体４を備え、且つ塗布軸３の他端に容器蓋部５を備える。塗布体４は、液状の毛髪化粧料Ｌを含浸させた状態で毛髪に接触させて塗布するための部材である。
【００１５】
塗布軸３は、容器蓋部５から塗布体４方向に延びる略柱状又は略筒状の軸部を有していればよい。塗布軸３の軸部の断面形状は特に制限されないが、後述するように、塗布体４を塗布軸３の周方向に回転可能に保持する観点からは、塗布軸３が有する軸部は略円柱状であることが好ましい。
塗布軸３の材質は特に限定されないが、成形加工性、軽量性などの観点から、ポリエチレン、ポリプロピレン等のプラスチックが好ましい。
【００１６】
塗布体４は、密度が１５ｋｇ／ｍ３以上９５ｋｇ／ｍ３以下の吸収性部材を備えたものである。塗布体４は、吸収性部材から構成されたものでもよく、吸収性部材以外に、櫛歯、ブラシ等を一部に備えたものでもよい。液状の毛髪化粧料を毛髪に塗布する際に液垂れや液切れを生じ難く、毛髪の根元から毛先まで一度の操作でムラなく塗布する観点からは、塗布体４の上記吸収性部材による被覆割合は、塗布体４の外表面の５０％以上であることが好ましく、７０％以上であることがより好ましく、９０％以上であることがさらに好ましく、１００％であることがよりさらに好ましい。
液状の毛髪化粧料を毛髪に塗布する際に液垂れや液切れを生じ難く、毛髪の根元から毛先まで一度の操作でムラなく塗布する観点からは、塗布体４は、吸収性部材から構成されたものであることが好ましい。
本明細書において吸収性部材とは、液状の毛髪化粧料Ｌ等の液体を含浸させて保持することができる部材をいい、代表的な吸収性部材の形態としてはスポンジが挙げられる。
本発明においては、塗布具２に備えられた塗布体４が備える吸収性部材の密度が上記範囲であると、液状の毛髪化粧料の保持性及び塗布性が良好であり、毛髪の根元から毛先まで一度の操作でムラなく塗布できる。
吸収性部材の密度は、液状の毛髪化粧料の保持性の観点から、１５ｋｇ／ｍ３以上であり、好ましくは２０ｋｇ／ｍ３以上、より好ましくは２２ｋｇ／ｍ３以上、さらに好ましくは２５ｋｇ／ｍ３以上である。また、比較的低粘度の毛髪化粧料の塗布操作時にも液垂れを生じ難く、ムラなく塗布する観点から、吸収性部材の密度は９５ｋｇ／ｍ３以下であり、好ましくは９３ｋｇ／ｍ３以下、より好ましくは９０ｋｇ／ｍ３以下である。吸収性部材の密度の具体的範囲は、１５〜９５ｋｇ／ｍ３であり、好ましくは２０〜９５ｋｇ／ｍ３、より好ましくは２２〜９３ｋｇ／ｍ３、さらに好ましくは２５〜９０ｋｇ／ｍ３である。ここで、密度は、吸収性部材から直方体を切り出し、その重量Ｗ（ｋｇ）と縦、横、高さの３辺の長さＬ、Ｍ、Ｈ（ｍ）を測定し、次の式から算出する。
密度（ｋｇ／ｍ３）＝Ｗ／（Ｌ×Ｍ×Ｈ）
なお、吸収性部材は毛髪化粧料等の液体に含浸させた場合、液状の毛髪化粧料を吸収して膨潤することがあるため、吸収性部材の前記密度は、乾燥状態の吸収性部材を用いて測定する。以下、塗布軸３の一端の全周を被覆している吸収性部材の外径、内径、厚み、長さも同様に乾燥状態の吸収性部材を用いて測定するものとする。
【００１７】
ここで、吸収性部材の外径とは、吸収性部材の、塗布軸の長さ方向（以下「塗布軸方向」ともいう）に垂直な断面において、その重心を通り断面の外縁に両端を有する直線のうち、最も長い直線の長さを意味し、図３ではｄ１で示される。例えば吸収性部材の塗布軸方向に垂直な断面における外周の形状が正円であれば、該正円の直径を意味する。
吸収性部材の内径とは、吸収性部材の、塗布軸方向に垂直な断面の重心から、吸収性部材の内表面までの最短距離の２倍を意味し、図３ではｄ２で示される。例えば吸収性部材の塗布軸方向に垂直な断面における内周の形状が正円であれば、吸収性部材の内径は該正円の直径に等しい。
吸収性部材の厚みとは、（吸収性部材の外径−吸収性部材の内径）／２を意味する。
吸収性部材の長さとは、吸収性部材の塗布軸方向の長さであって毛髪への接触が可能な部分の長さを意味し、図３ではｈで示される。
【００１８】
吸収性部材の外径は、毛髪用化粧品の大きさをどの程度に設計するかにより、所望する様々な外径を設定することができるが、毛髪用化粧品の持ち運びが容易で、毛髪化粧料を毛髪に適用しやすい観点から、好ましくは５ｍｍ以上であり、より好ましくは８ｍｍ以上であり、さらに好ましくは１０ｍｍ以上であり、また、好ましくは３５ｍｍ以下であり、より好ましくは２５ｍｍ以下であり、さらに好ましくは１５ｍｍ以下である。吸収性部材の塗布軸周方向の外径の具体的範囲は、好ましくは５〜３５ｍｍであり、より好ましくは８〜２５ｍｍであり、さらに好ましくは１０〜１５ｍｍである。
吸収性部材の厚みは、液状の毛髪化粧料の液保持性が良好で、使用時の液垂れを抑制する観点から、好ましくは０．５ｍｍ以上であり、より好ましくは１ｍｍ以上であり、さらに好ましくは１．５ｍｍ以上であり、また、好ましくは８ｍｍ以下であり、より好ましくは６ｍｍ以下であり、さらに好ましくは４ｍｍ以下である。吸収性部材の厚みの具体的範囲は、好ましくは０．５〜８ｍｍであり、より好ましくは１〜６ｍｍであり、さらに好ましくは１．５〜４ｍｍである。
吸収性部材の塗布軸方向の長さは、一度の操作で毛髪化粧料を塗布できる幅をどの程度にするかにより、所望する様々な長さを設定することができるが、液状の毛髪化粧料の液保持性を有し、毛髪化粧料の塗布性を良好にする観点から、好ましくは１０ｍｍ以上であり、より好ましくは１５ｍｍ以上であり、さらに好ましくは２０ｍｍ以上であり、また、好ましくは６０ｍｍ以下であり、より好ましくは５０ｍｍ以下であり、さらに好ましくは４０ｍｍ以下である。吸収性部材の塗布軸方向の長さの具体的範囲は、好ましくは１０〜６０ｍｍであり、より好ましくは１５〜５０ｍｍであり、さらに好ましくは２０〜４０ｍｍである。
【００１９】
吸収性部材の材質は、密度が前記範囲であり、液状の毛髪化粧料Ｌを含浸して保持できるものであれば特に制限されないが、液状の毛髪化粧料の液保持性、塗布に適した圧縮性及び復元性等の弾性を有するという観点から、吸収性部材の材質は好ましくはポリウレタンである。すなわち、吸収性部材は発泡ポリウレタン等の、ポリウレタン製のスポンジであることが好ましい。
【００２０】
図２〜図４に示す塗布体４は、上記吸収性部材から構成された態様である。図２〜図４に示すように、上記吸収性部材から構成される塗布体４は、塗布軸３の一端に備えられ、且つ塗布体４における吸収性部材は、塗布軸３の一端の全周を被覆している。「塗布軸の一端の全周」とは、塗布軸の一端における、塗布軸の側面全体を意味する。すなわち、吸収性部材は塗布軸３の一端において、塗布軸３の側面の一部のみを被覆する態様ではなく、塗布軸３の一端の側面全体を被覆している。
吸収性部材が塗布軸３の一端においてその全周を被覆する構成とすることで、液状の毛髪化粧料の保持量、及び毛髪に接触可能な面積を多くすることができるため、塗布の途中で液切れを起こすことなく、液状の毛髪化粧料を一度の操作でムラなく塗布することが可能になる。特に、長い髪に対し、毛髪の根元から毛先に向かって細く長いラインを引くように毛髪化粧料を塗布する場合、平板状の塗布体よりも本実施形態の塗布体を用いた方が、狭い領域への塗布が可能であるため目的部位に塗布しやすく、且つ液切れを起こすことなく一度の操作でムラなく塗布できる点で有利である。
【００２１】
例えば、塗布軸３が塗布体４方向に延びる略円柱状の軸部を有している場合、塗布体４は、塗布軸３の一端の全周を被覆してなる略円筒形状の吸収性部材を備えたものとすることができる。
【００２２】
塗布体４は、塗布軸３の一端において、塗布軸３の周方向に回転可能に保持されていることが好ましい。塗布軸の周方向とは、例えば塗布軸３が略円柱状の軸部を有している場合はその円周方向を意味する。
塗布体４が塗布軸３の周方向に回転可能に保持されていると、毛髪化粧料を塗布する際に、塗布体４を毛髪表面に押し当てて塗布軸３の軸方向と略直交方向に塗布具２を動かすことにより、塗布体４を塗布軸３の周方向に回転させながら塗布することができる。この態様では、液状の毛髪化粧料Ｌを含浸している吸収性部材を備えた塗布体４表面と毛髪表面との接触面積が増えるので、塗布操作中に液切れを起こしにくく、一度の操作でムラなく塗布できる効果がより向上する。
【００２３】
塗布体４を塗布軸３の周方向に回転可能に保持する態様としては、例えば図２及び図３に示すように、塗布軸３の外表面に、塗布軸３の周方向に回転可能に保持された、非吸収性部材からなる回転体６を設け、回転体６の外表面で且つ塗布軸３の一端側に塗布体４を設けた態様が挙げられる。回転体６を構成する非吸収性部材としては、塗布軸３及び容器蓋部５と同様に、ポリエチレン、ポリプロピレン等のプラスチックが好ましい。
図２及び図３に示す回転体６は略円筒形状であって、少なくとも塗布軸３の一端の外周を被覆するように設けられ、塗布軸３の周方向に回転可能な状態で、塗布軸３の他端、すなわち容器蓋部５側に保持されている。この回転体６の外表面側に、略円筒形状の吸収性部材を備えた塗布体４を塗布軸３の一端側から嵌合することで、塗布体４は、塗布軸３の周方向に回転可能に保持される。
さらに回転体６に嵌合された塗布体４の脱落を防止するため、塗布体ホルダ７を用いて塗布体４を回転体６に保持することが好ましい。図２〜図４に示す塗布体ホルダ７は円板状部材の一方の面に突起部を有しており、該突起部を塗布軸３の一端の端面３ａ（非図示）側から嵌め込んで、塗布体４が脱落しないように保持している。円板状部材の外径は、塗布体４の保持が可能で、且つ塗布具の塗布操作を阻害しない範囲において適宜選択できる。
【００２４】
容器蓋部５は、塗布軸３の他端に備えられ、容器１の蓋と、塗布具２の使用時に使用者が把持する部位としての役割を兼ね備えている。容器蓋部５は、一方側に開口部を有した略円筒形状であり、この開口部近傍の内周に、図５に示す容器１の雄螺子１ａと螺合結合可能な雌螺子５ａが形成されている。この容器蓋部５の開口部から塗布軸３を嵌め込むことで、容器蓋部５と塗布軸３とは周方向に回転不能に係合される。
容器蓋部５の材質は特に限定されないが、成形加工性、軽量性などの観点から、塗布軸３と同様に、ポリエチレン、ポリプロピレン等のプラスチックが好ましい。
【００２５】
一方、容器１は、前記粘度範囲にある液状の毛髪化粧料Ｌを内部に収容できる限り、その形状、材質は特に限定されないが、ボトル形状であることが好ましい。容器１の材質は、塗布軸３及び容器蓋部５と同じでもよく、異なっていてもよいが、塗布軸３及び容器蓋部５と同様に、ポリエチレン、ポリプロピレン等のプラスチックが好ましい。
【００２６】
図２及び図５に示すように、容器１は、液状の毛髪化粧料Ｌを収容すると共に、容器１の頸部内に扱き部材８を備えることが好ましい。扱き部材８は、例えばゴム等の軟質材より形成されて略有底円筒状を呈し、容器１の頸部より下方へ延出している。扱き部材８の底部には、例えば十字状を成すスリット（切れ目）８ａが形成され、底部より上方で容器１の頸部より下方位置には、円板状の扱き部８ｂが内側へ張り出すように設けられる。扱き部８ｂの略中央には、塗布軸３及び塗布体４が通過する、例えば円形等の扱き孔８ｃが形成される。
【００２７】
このような構成を有する毛髪用化粧品１００によれば、容器１に塗布具２を装着した状態では、塗布体４が液状の毛髪化粧料Ｌに浸漬している。また、この状態で、塗布軸３は、扱き孔８ｃ及びスリット８ａを通過しており、スリット８ａは下方へ捲られた状態にある。
【００２８】
そして、使用者は、容器蓋部５を持ち、容器蓋部５の雌螺子５ａと容器１の雄螺子１ａの螺合を解除し、容器１から塗布具２を取り出す。このとき、塗布具２の塗布体４に付着している余分な毛髪化粧料Ｌは、扱き孔８ｃを形成する扱き部８ｂの内周面により扱き落とされると共に、スリット８ａにより扱き落とされる。
【００２９】
容器１から塗布具２を取り出す際に、捲れていた十字状のスリット８ａは捲れが元に戻り、底部が概ね閉じた状態となる。したがって容器１から塗布具２を取り出し塗布に供しているときに、容器１を誤って倒してしまっても、閉じているスリット８ａに遮られ、容器１から液状の毛髪化粧料Ｌが流れ出てしまうことを防止できる。
【００３０】
さらに容器１は、図２に示すように、液状の毛髪化粧料Ｌと共に、撹拌球９を収容していることが好ましい。毛髪化粧料中で着色剤等の配合成分が沈降している場合であっても、使用者が容器１を手などで振盪させることで、撹拌球９により効率よく撹拌されて均一に再分散させることができる。撹拌球９の材質は、高比重で摩耗し難い材質であることが好ましく、例えばＳＵＳ等が挙げられる。
【００３１】
＜毛髪化粧料＞
容器１に収容される液状の毛髪化粧料Ｌは、２５℃における粘度が５，０００ｍＰａ・ｓ以下である。本発明の毛髪用化粧品は、容器１に収容される毛髪化粧料の粘度を上記範囲とし、かつ前述の塗布具２を用いることにより、塗布操作中に液垂れや液切れが生じ難く、毛髪の根元から毛先まで一度の操作でムラなく塗布できる毛髪用化粧品となる。
毛髪化粧料の２５℃における粘度は、０ｍＰａ・ｓ超であればよく、塗布操作中の液垂れや液の飛び散りを抑制する観点から、好ましくは１ｍＰａ・ｓ以上、より好ましくは５ｍＰａ・ｓ以上、さらに好ましくは１０ｍＰａ・ｓ以上であり、塗布体への保持量を多くして、液切れを起こさずに毛髪の根元から毛先まで一度の操作でムラなく塗布する観点から、好ましくは３，０００ｍＰａ・ｓ以下、より好ましくは２，０００ｍＰａ・ｓ以下、さらに好ましくは１，５００ｍＰａ・ｓ以下、よりさらに好ましくは１，０００ｍＰａ・ｓ以下、よりさらに好ましくは８００ｍＰａ・ｓ以下、よりさらに好ましくは５００ｍＰａ・ｓ以下、よりさらに好ましくは３００ｍＰａ・ｓ以下、よりさらに好ましくは１５０ｍＰａ・ｓ以下である。毛髪化粧料の２５℃における粘度の具体的範囲は、０〜５，０００ｍＰａ・ｓであり、好ましくは１〜３，０００ｍＰａ・ｓ、より好ましくは１〜２，０００ｍＰａ・ｓ、さらに好ましくは５〜１，５００ｍＰａ・ｓ、より好ましくは５〜１，０００ｍＰａ・ｓ、よりさらに好ましくは５〜８００ｍＰａ・ｓ、よりさらに好ましくは５〜５００ｍＰａ・ｓ、よりさらに好ましくは５〜３００ｍＰａ・ｓ、よりさらに好ましくは１０〜３００ｍＰａ・ｓ、よりさらに好ましくは１０〜１５０ｍＰａ・ｓである。
なお、上記粘度は、測定適応範囲に応じたローターを用いたＢ型粘度計により、所定の回転速度、温度２５±１℃で１分間測定したときの値である。具体的には、毛髪化粧料７０〜８０ｇを容量１００〜２００ｍＬのスクリュー管に入れ、均一になるよう手で約３０ｃｍの幅で１００回、３０秒間振盪し、さらに、1回／秒の速さで３０回倒立させた直後に、Ｂ型粘度計（ＴＶ−１０Ｍ、東機産業（株）製）を用い、粘度が１００ｍＰａ・ｓ以下ではローターＮｏ．Ｍ１を用い、回転速度１００ｒｐｍ、１００〜５００ｍＰａ・ｓの範囲ではローターＮｏ．Ｍ２を用い、回転速度６０ｒｐｍ、５００〜２，０００ｍＰａ・ｓの範囲ではローターＮｏ．Ｍ３を用い、回転速度６０ｒｐｍ、２，０００〜１０，０００ｍＰａ・ｓの範囲ではローターＮｏ．Ｍ４を用い、回転速度６０ｒｐｍの条件で粘度が測定される。該粘度は、より詳細には実施例に記載の方法により測定できる。
【００３２】
本発明の毛髪用化粧品を構成する毛髪化粧料は、好ましくは染毛剤であり、より好ましくは一時染毛剤である。毛髪化粧料が染毛剤、特に一時染毛剤である場合、該毛髪化粧料は下記成分（Ａ）〜（Ｃ）を含有することが好ましい。
（Ａ）着色剤
（Ｂ）シリコーン構造含有皮膜形成性ポリマー
（Ｃ）非水溶媒
【００３３】
（成分（Ａ）：着色剤）
成分（Ａ）である着色剤は、毛髪化粧料が染毛剤である場合には、毛髪を所望の色合いに染毛するために用いられる。
着色剤としては顔料及び染料が挙げられ、これらを併用してもよい。特に、毛髪に鮮やかな色を付与する一時染毛剤とする観点からは、成分（Ａ）は顔料であることが好ましい。
顔料としては、無機顔料、有機顔料のいずれも用いることができ、これらを併用することもできる。
【００３４】
本発明に用いる成分（Ａ）は、干渉パール顔料（Ａ１）及び干渉パール顔料以外の着色剤（Ａ２）を含むことが好ましい。成分（Ａ）が成分（Ａ１）及び成分（Ａ２）を含む構成であると、毛髪化粧料が一時染毛剤、特にファッション性向上を目的として毛髪に鮮やかな色を付与する一時染毛剤である場合に、発色挙動が下地の髪色の影響を受けにくくなり、一定の染毛効果を付与することができる。ここでいう「発色挙動が下地の髪色の影響を受けにくく一定の染毛効果を付与する」とは、より詳細には、下地の髪色が明るい色であるか暗い色であるかによらず、染毛前後の毛髪の明るさ（明度）を大きく変えずに、塗布色に応じた色変化を生じさせることを意味する。
【００３５】
一時染毛剤等の染毛剤には、一般に顔料等の着色剤が使用される。しかしながら、例えば着色剤として有機顔料のみを用いた一時染毛剤では、黒髪などの暗い色の毛髪を染めると色の変化が見えにくいため、十分な発色を得るためには有機顔料を多く配合する必要があった。一方で、有機顔料を多く配合した一時染毛剤は、ブリーチ毛などの明るい色の毛髪に適用すると発色が派手すぎてしまい実用的ではなかった。
本発明者らが鋭意検討した結果、着色剤成分として、成分（Ａ１）である干渉パール顔料と、成分（Ａ１）以外の着色剤（成分（Ａ２））とを用いることで、発色挙動が下地の髪色の影響を受けにくくなり、一定の染毛効果を付与できることを見出した。
【００３６】
成分（Ａ１）である干渉パール顔料は、光の反射干渉作用によりパール状の光沢を呈する顔料であって、コア粒子の表面にコーティング層を有しており、該コーティング層は反射干渉層を含み且つ透光性を有するものをいう。コア粒子は通常、半透明の板状粒子であり、反射干渉層は二酸化チタン等の無色金属酸化物、又は無色金属から構成されている。またコーティング層に含まれる反射干渉層の厚さによってその反射光由来の波長色を呈することはあるが、コーティング層自体は透光性を有している。
よって成分（Ａ１）を単独で明るい色の毛髪に適用しても色の変化は見えにくいが、暗い色の毛髪に適用すると、光の反射干渉作用によりキラキラした光沢が付されると共に色の変化が見えやすくなる。そのため成分（Ａ１）を用いると、成分（Ａ２）である有機顔料等の着色剤を多量に配合しなくても、暗い色の毛髪に適用した場合に十分な発色を呈する一時染毛剤が得られると考えられる。また当該一時染毛剤を明るい色の毛髪に適用した場合には、毛髪の明るさを大きく変えずに所望の発色を付与できる。以上のような作用機構により、発色挙動が下地の髪色の影響を受けにくくなり、一定の染毛効果を付与することができると考えられる。
【００３７】
〔干渉パール顔料（Ａ１）〕
干渉パール顔料は前記の通り、光の反射干渉作用によりパール状の光沢を呈する顔料であって、コア粒子の表面にコーティング層を有しており、該コーティング層は反射干渉層を含み且つ透光性を有するものである。本発明においては、干渉パール顔料におけるコーティング層は有色金属酸化物及び有色金属を実質的に含有しない。なお、「実質的に含有しない」とは、コーティング層自体の透光性がなくなる範囲の有色金属酸化物及び有色金属をいずれもコーティング層内に含有していないという意味であり、コーティング層中の有色金属酸化物及び有色金属の含有量は、好ましくは３質量％以下、より好ましくは１質量％以下、さらに好ましくは０．１質量％以下である。有色金属酸化物としては、酸化鉄、酸化銅、酸化コバルト、酸化クロム、酸化ニッケル等が挙げられ、有色金属としては、金、銅等が挙げられる。
本明細書において干渉パール顔料は、着色パール顔料とは区別される。着色パール顔料は光の反射干渉作用によりパール状の光沢を呈する顔料であって、通常、コア粒子の表面にコーティング層を有しており、該コーティング層は上記有色金属酸化物又は有色金属により着色されており透光性を有さない。従って干渉パール顔料とは異なり、着色パール顔料は隠蔽性を有している。
なお、コア粒子の表面にコーティング層を有しており、該コーティング層が無色金属酸化物又は無色金属から構成される反射干渉層と、該反射干渉層の表面に形成された、有機顔料から構成される着色層とを含むものは一般に複合パール顔料と称されることがあるが、コーティング層全体として透光性を有するものである限り、本明細書においては干渉パール顔料に含まれる。
【００３８】
成分（Ａ１）を構成するコア粒子の材質としては、雲母（マイカ）、セリサイト、タルク、カオリン、スメクタイト属粘土鉱物、オキシ塩化ビスマス、合成マイカ、合成セリサイト、板状シリカ、板状アルミナ等が挙げられ、これらの中でも雲母が好ましい。
成分（Ａ１）のコーティング層に含まれる反射干渉層は、好ましくは二酸化チタン、酸化亜鉛、酸化アルミニウム等の無色金属酸化物や、チタン、ジルコニウム、亜鉛、スズ、ケイ素、アルミニウム等の無色金属を主成分とする薄膜からなる層であり、単層構造でも多層構造でもよい。反射干渉層を構成する無色金属酸化物又は無色金属として、より好ましくはチタン及び二酸化チタンからなる群から選ばれる１種以上であり、さらに好ましくは二酸化チタンである。
成分（Ａ１）である干渉パール顔料は、一時染毛剤に用いた際に下地の髪色の影響によらず一定の染毛効果を付与する観点から、二酸化チタン被覆雲母（雲母チタン）であることがより好ましい。
成分（Ａ１）を構成するコア粒子と反射干渉層との比率には特に制限はないが、コア粒子と、反射干渉層を構成する無色金属酸化物及び無色金属との質量比（コア粒子／反射干渉層を構成する無色金属酸化物及び無色金属）は、好ましくは２５／７５〜８０／２０、より好ましくは３０／７０〜７０／３０、さらに好ましくは５０／５０〜６５／３５である。
【００３９】
成分（Ａ１）の平均粒径は、体積中位粒径（Ｄ５０）として、好ましくは２μｍ以上、より好ましくは５μｍ以上、さらに好ましくは１０μｍ以上であり、また、好ましくは４０μｍ以下、より好ましくは３５μｍ以下、さらに好ましくは３０μｍ以下である。成分（Ａ１）の体積中位粒径（Ｄ５０）の具体的範囲は、好ましくは２〜４０μｍ、より好ましくは５〜３５μｍ、さらに好ましくは１０〜３０μｍである。成分（Ａ１）のＤ５０が上記範囲であれば、一時染毛剤に用いた際に下地の髪色の影響によらず一定の染毛効果を付与できる。
成分（Ａ１）のＤ５０は、レーザ回折式粒度分布測定装置により測定される値である。
【００４０】
成分（Ａ１）として用いることができる市販の干渉パール顔料としては、メルク社製の「Ｔｉｍｉｒｏｎ  Ｓｕｐｅｒ  Ｂｌｕｅ」（雲母チタン、マイカ：５１質量％、二酸化チタン：４９質量％、Ｄ５０：１８〜２５μｍ）、「Ｔｉｍｉｒｏｎ  Ｓｕｐｅｒ  Ｇｏｌｄ」（雲母チタン、マイカ：６０質量％、二酸化チタン：４０質量％、Ｄ５０：１８〜２５μｍ）、「Ｔｉｍｉｒｏｎ  Ｓｕｐｅｒ  Ｇｒｅｅｎ」（雲母チタン、マイカ：５５質量％、二酸化チタン：４５質量％、Ｄ５０：１８〜２５μｍ）、「Ｔｉｍｉｒｏｎ  Ｓｕｐｅｒ  Ｒｅｄ」（雲母チタン、マイカ：５２質量％、二酸化チタン：４８質量％、Ｄ５０：１８〜２５μｍ）等が挙げられる。
【００４１】
毛髪化粧料中の成分（Ａ１）の含有量は、毛髪化粧料が一時染毛剤である場合に下地の髪色の影響によらず一定の染毛効果を付与する観点から、好ましくは１．５質量％以上、より好ましくは２．５質量％以上、さらに好ましくは３．０質量％以上、よりさらに好ましくは３．５質量％以上、よりさらに好ましくは４．０質量％以上であり、また、好ましくは１０質量％以下、より好ましくは９．５質量％以下、さらに好ましくは９．０質量％以下、さらに好ましくは８．５質量％以下である。毛髪化粧料中の成分（Ａ１）の含有量の具体的範囲は、好ましくは１．５〜１０質量％、より好ましくは２．５〜１０質量％、さらに好ましくは３．０〜９．５質量％、よりさらに好ましくは３．５〜９．０質量％、よりさらに好ましくは４．０〜８．５質量％である。
【００４２】
〔干渉パール顔料以外の着色剤（Ａ２）〕
成分（Ａ２）は成分（Ａ１）以外の着色剤である。毛髪化粧料が成分（Ａ２）を含有することで、毛髪化粧料が一時染毛剤である場合に所望の色合いを付与することができ、さらに成分（Ａ１）と併用することで、発色挙動が下地の髪色の影響を受けにくくなり、一定の染毛効果を付与することができる。
成分（Ａ２）としては、形状（球状、針状、板状等）や粒子径、粒子構造（多孔質、無孔質等）を問わず、いずれのものも使用することができ、成分（Ａ１）以外の無機顔料、有機顔料が挙げられる。
【００４３】
成分（Ａ１）以外の無機顔料としては、カーボンブラック、黒酸化鉄、黒酸化チタン等の無機黒色系顔料；酸化鉄（べんがら）、水酸化鉄、チタン酸鉄等の無機赤色系顔料；γ−酸化鉄等の無機褐色系顔料；黄酸化鉄、黄土等の無機黄色系顔料；群青、紺青等の無機青色系顔料；マンガンバイオレット、コバルトバイオレット等の無機紫色系顔料；酸化クロム、水酸化クロム、チタン酸コバルト等の無機緑色系顔料；酸化チタン、酸化亜鉛、酸化セリウム、硫酸バリウム等の無機白色系顔料；金粉、銀粉、銅粉、アルミニウム粉、真鍮粉等の金属粉末顔料；酸化鉄被覆雲母、酸化鉄被覆雲母チタン、黒酸化鉄被覆雲母、黒酸化鉄被覆雲母チタン、黄酸化鉄被覆雲母、酸化鉄・黒酸化鉄被覆雲母チタン、酸化鉄・紺青被覆雲母チタン、酸化鉄被覆オキシ塩化ビスマス、酸化鉄被覆オキシ塩化ビスマス雲母等の着色パール顔料；等が挙げられる。
【００４４】
有機顔料としては、赤色２０１号、赤色２０２号、赤色２０３号、赤色２０４号、赤色２０５号、赤色２０６号、赤色２０７号、赤色２０８号、赤色２１９号、赤色２２０号、赤色２２１号、赤色２２６号、赤色２２８号、赤色４０４号、赤色４０５号、だいだい色２０３号、だいだい色２０４号、だいだい色４０１号、黄色２０５号、黄色４０１号、青色４０４号等が挙げられる。
【００４５】
上記以外の成分（Ａ２）として、ポリエチレンテレフタレート・アルミニウム・エポキシ積層体、ポリエチレンテレフタレート・ポリオレフィン積層フィルム体等の光輝性粉体や、直接染料、酸性染料、食用染料等の各種染料を用いることもできる。
上記着色剤は所望の色合いに応じて、１種又は２種以上を適宜組み合わせて用いることができる。
【００４６】
毛髪化粧料中の成分（Ａ２）の含有量は、毛髪化粧料が一時染毛剤である場合に所望の色合いを付与する観点から、好ましくは０．５質量％以上、より好ましくは０．８質量％以上、さらに好ましくは１．０質量％以上である。また、一時染毛剤として用いた際に下地の髪色の影響によらず一定の染毛効果を付与する観点から、好ましくは８．０質量％以下、より好ましくは７．０質量％以下、さらに好ましくは６．０質量％以下、さらに好ましくは５．０質量％以下、よりさらに好ましくは４．０質量％以下である。本発明の毛髪化粧料中の成分（Ａ２）の含有量の具体的範囲は、好ましくは０．５〜８．０質量％、より好ましくは０．５〜７．０質量％、さらに好ましくは０．８〜６．０質量％、よりさらに好ましくは０．８〜５．０質量％、よりさらに好ましくは１．０〜４．０質量％である。
【００４７】
毛髪化粧料中の成分（Ａ１）及び成分（Ａ２）の合計含有量は、毛髪化粧料を前記所定の粘度範囲とする観点、及び、毛髪化粧料が一時染毛剤である場合に黒髪などの暗い色の毛髪に対する染毛効果を向上させる観点から、好ましくは２．０質量％以上であり、より好ましくは３．０質量％以上、さらに好ましくは３．５質量％以上、よりさらに好ましくは４．０質量％以上、よりさらに好ましくは５．０質量％以上、よりさらに好ましくは６．０質量％以上である。また、当該合計含有量は好ましくは１２．０質量％以下であり、より好ましくは１１．０質量％以下、さらに好ましくは１０．０質量％以下、よりさらに好ましくは９．５質量％以下である。毛髪化粧料中の成分（Ａ１）及び成分（Ａ２）の合計含有量の具体的範囲は、好ましくは２．０〜１２．０質量％であり、より好ましくは３．０〜１１．０質量％、さらに好ましくは３．５〜１１．０質量％、よりさらに好ましくは４．０〜１０．０質量％、よりさらに好ましくは５．０〜１０．０質量％、よりさらに好ましくは６．０〜９．５質量％である。
【００４８】
また、毛髪化粧料が一時染毛剤である場合に所望の色合いを付与することができ、ブリーチ毛などの明るい色の毛髪に対する明度変化を小さくする観点から、成分（Ａ１）及び成分（Ａ２）の合計含有量に対する成分（Ａ１）の質量比［（Ａ１）／｛（Ａ１）＋（Ａ２）｝］は、好ましくは０．３０以上、より好ましくは０．４０以上、さらに好ましくは０．５０以上、よりさらに好ましくは０．６０以上であり、好ましくは０．９６以下、より好ましくは０．９４以下、さらに好ましくは０．９２以下、よりさらに好ましくは０．９０以下である。当該質量比［（Ａ１）／｛（Ａ１）＋（Ａ２）｝］の具体的範囲は、好ましくは０．３０〜０．９６であり、より好ましくは０．４０〜０．９４、さらに好ましくは０．５０〜０．９２であり、よりさらに好ましくは０．６０〜０．９０である。
【００４９】
毛髪化粧料中の成分（Ａ）の含有量は、前記成分（Ａ１）及び成分（Ａ２）の合計含有量と同じであってよく、好ましくは２．０質量％以上であり、より好ましくは３．０質量％以上、さらに好ましくは３．５質量％以上、よりさらに好ましくは４．０質量％以上、よりさらに好ましくは５．０質量％以上、よりさらに好ましくは６．０質量％以上であり、好ましくは１２．０質量％以下であり、より好ましくは１１．０質量％以下、さらに好ましくは１０．０質量％以下、よりさらに好ましくは９．５質量％以下である。毛髪化粧料中の成分（Ａ）の含有量の具体的範囲は、好ましくは２．０〜１２．０質量％であり、より好ましくは３．０〜１１．０質量％、さらに好ましくは３．５〜１１．０質量％、よりさらに好ましくは４．０〜１０．０質量％、よりさらに好ましくは５．０〜１０．０質量％、よりさらに好ましくは６．０〜９．５質量％である。
【００５０】
（成分（Ｂ）：シリコーン構造を有する皮膜形成性ポリマー）
成分（Ｂ）であるシリコーン構造を有する皮膜形成性ポリマーは、毛髪化粧料に耐摩耗性、耐水性、洗髪除去性、柔軟性、高発色性等を付与できる。また毛髪化粧料が一時染毛剤である場合には、染毛後の皮膚や衣類への色移りが少なく、毛髪の感触も良好な一時染毛剤とすることができる。
成分（Ｂ）は、少なくとも一部にシリコーン構造を有しかつ皮膜形成能を有するポリマーである。「シリコーン構造」とは、下記一般式（Ｉ）で表される構造をいう。
【化１】
2020168354.tif 000003
一般式（Ｉ）中、ＲＡはそれぞれ独立に炭素数１以上１２以下の炭化水素基であり、ｐは１以上の整数である。ＲＡは、好ましくは炭素数１以上１２以下のアルキル基又は炭素数６以上１２以下のアリール基であり、より好ましくは炭素数１以上１２以下のアルキル基又はフェニル基、さらに好ましくは炭素数１以上３以下のアルキル基、よりさらに好ましくはメチル基である。
当該シリコーン構造はポリマー中、主鎖、側鎖のいずれに存在していてもよいが、主鎖に存在していることが好ましい。シリコーン構造がポリマー主鎖に存在する場合、その結合形態には特に制限はなく、例えば、シリコーン構造がポリマー主鎖の末端に存在していてもよいし、ポリマー主鎖中にシリコーン構造がブロック状又はランダム状に結合した共重合ポリマーであってもよい。また、シリコーン構造を有する化合物によりグラフト変性されたポリマーも用いることができる。
【００５１】
成分（Ｂ）は、耐摩耗性、耐水性、洗髪除去性、柔軟性、高発色性等を付与し、毛髪化粧料が一時染毛剤である場合には、染毛後の色移りを少なくし、毛髪の感触を良好にする観点から、ポリ（Ｎ−アシルアルキレンイミン）変性オルガノポリシロキサンが好ましい。具体的には、主鎖を構成するオルガノポリシロキサンセグメントのケイ素原子の少なくとも２つに、ヘテロ原子を含むアルキレン基を介して、下記一般式（１）で表される繰り返し単位からなるポリ（Ｎ−アシルアルキレンイミン）セグメントが結合してなるオルガノポリシロキサンである。
【化２】
2020168354.tif 000004
〔式中、Ｒ1は水素原子、炭素数１以上２２以下のアルキル基、炭素数７以上２２以下のアラルキル基、又は炭素数６以上２２以下のアリール基を示し、ｎは２又は３を示す。〕
【００５２】
ポリ（Ｎ−アシルアルキレンイミン）セグメントは、オルガノポリシロキサンセグメントを構成する任意のケイ素原子に、ヘテロ原子を含むアルキレン基を介して少なくとも２つ結合することが可能であるが、両末端を除く１以上のケイ素原子に上記アルキレン基を介して結合していることが好ましく、両末端を除く２以上のケイ素原子に上記アルキレン基を介して結合していることがより好ましい。
オルガノポリシロキサンセグメントとポリ（Ｎ−アシルアルキレンイミン）との結合において介在するヘテロ原子を含むアルキレン基としては、窒素原子、酸素原子及び／又はイオウ原子を１〜３個含む、炭素数２以上２０以下のアルキレン基が挙げられる。その具体例としては、以下のものが挙げられる。
【化３】
2020168354.tif 000005
【００５３】
ポリ（Ｎ−アシルアルキレンイミン）セグメントを構成するＮ−アシルアルキレンイミン単位は前記一般式（１）で表されるものである。
前記一般式（１）のＲ1における、炭素数１以上２２以下のアルキル基としては、例えば、炭素数１以上２２以下の直鎖状、分岐状又は環状のアルキル基が例示され、具体的には、メチル基、エチル基、ｎ−プロピル基、イソプロピル基、ｎ−ブチル基、ｔｅｒｔ−ブチル基、ペンチル基、ヘキシル基、シクロへキシル基、ヘプチル基、オクチル基、ノニル基、デシル基、ウンデシル基、ドデシル基、オクタデシル基、ノナデシル基、エイコシル基、ドコシル基等が例示される。これらの中でも、好ましくは炭素数１以上１０以下、より好ましくは炭素数１以上６以下、さらに好ましくは炭素数１以上４以下のアルキル基である。
【００５４】
前記一般式（１）のＲ1における、炭素数７以上２２以下のアラルキル基としては、例えば、ベンジル基、フェネチル基、トリチル基、ナフチルメチル基、アントラセニルメチル基等が例示される。これらの中でも、好ましくは炭素数７以上１４以下、より好ましくは炭素数７以上１０以下のアラルキル基である。
【００５５】
前記一般式（１）のＲ1における、炭素数６以上２２以下のアリール基としては、例えばフェニル基、トリル基、キシリル基、ナフチル基、ビフェニル基、アントリル基、フェナントリル基等が例示される。これらの中でも、好ましくは炭素数６以上１２以下、より好ましくは炭素数６以上９以下のアリール基である。
【００５６】
Ｒ1は、好ましくは炭素数１以上２２以下、より好ましくは炭素数１以上１０以下、さらに好ましくは炭素数１以上６以下、よりさらに好ましくは炭素数１以上４以下のアルキル基である。
【００５７】
好ましいポリ（Ｎ−アシルアルキレンイミン）変性オルガノポリシロキサンしては、例えば、ポリ（Ｎ−ホルミルエチレンイミン）オルガノシロキサン、ポリ（Ｎ−アセチルエチレンイミン）オルガノシロキサン、及びポリ（Ｎ−プロピオニルエチレンイミン）オルガノシロキサン等が挙げられ、これらのうち１種又は２種以上を用いることができる。
上記の中でも、耐摩耗性、耐水性、洗髪除去性、柔軟性、高発色性等を付与し、毛髪化粧料が一時染毛剤である場合には、染毛後の色移りを少なくし、毛髪の感触を良好にする観点から、ポリ（Ｎ−プロピオニルエチレンイミン）オルガノシロキサンが好ましく、ポリ（Ｎ−プロピオニルエチレンイミン）メチルシロキサン（Ｎ−プロピオニルポリエチレンイミン・メチルポリシロキサン共重合体；ポリシリコーン−９）がより好ましい。
【００５８】
毛髪化粧料中の成分（Ｂ）の含有量は、耐摩耗性、耐水性、洗髪除去性、柔軟性、高発色性等を付与する観点、及び、毛髪化粧料が一時染毛剤である場合の染毛後の色移りの少なさの観点から、好ましくは１質量％以上、より好ましくは２質量％以上、さらに好ましくは３質量％以上、よりさらに好ましくは４質量％以上である。また、毛髪化粧料中の成分（Ｂ）の含有量は、前記所定の粘度範囲とする観点、及び、毛髪化粧料が一時染毛剤である場合の染毛後の毛髪の感触向上の観点から、好ましくは３０質量％以下、より好ましくは２０質量％以下、さらに好ましくは１５質量％以下、よりさらに好ましくは１２質量％以下である。毛髪化粧料中の成分（Ｂ）の含有量の具体的範囲は、好ましくは１〜３０質量％、より好ましくは２〜２０質量％、さらに好ましくは３〜１５質量％、よりさらに好ましくは４〜１２質量％である。
【００５９】
毛髪化粧料中、成分（Ａ）に対する成分（Ｂ）の質量比［（Ｂ）／（Ａ）］は、毛髪化粧料が一時染毛剤である場合の、染毛後の色移りの少なさの観点から、好ましくは０．２以上、より好ましくは０．５以上、さらに好ましくは０．８以上であり、毛髪化粧料が一時染毛剤である場合の、染毛後の毛髪の感触向上の観点から、好ましくは３以下、より好ましくは１．４以下、さらに好ましくは１．２以下である。質量比［（Ｂ）／（Ａ｝］の具体的範囲は、好ましくは０．２〜３、より好ましくは０．５〜１．４、さらに好ましくは０．８〜１．２である。
【００６０】
また成分（Ａ１）を用いる場合、毛髪化粧料中の成分（Ａ１）に対する成分（Ｂ）の質量比［（Ｂ）／（Ａ１）］は、毛髪化粧料が一時染毛剤である場合の、染毛後の色移りの少なさの観点から、好ましくは０．１以上、より好ましくは０．２以上、さらに好ましくは０．５以上、よりさらに好ましくは１以上であり、毛髪化粧料が一時染毛剤である場合の、染毛後の毛髪の感触向上の観点から、好ましくは１０以下、より好ましくは５以下、さらに好ましくは３以下、よりさらに好ましくは２以下である。質量比［（Ｂ）／（Ａ１）］の具体的範囲は、好ましくは０．１〜１０、より好ましくは０．２〜５、さらに好ましくは０．５〜３、よりさらに好ましくは１〜２である。
【００６１】
（成分（Ｂ）’：成分（Ｂ）以外のポリマー）
本発明における毛髪化粧料は、成分（Ｂ）’として、さらに前記成分（Ｂ）以外のポリマーを含有していてもよい。成分（Ｂ）’を適宜含有させることで、毛髪化粧料を前記所定の粘度範囲に調整することが容易になる。
成分（Ｂ）’としては、成分（Ｂ）以外のポリマーであって、毛髪化粧料において通常用いられるものであれば特に制限されず、その分類として、成分（Ｂ）以外の、カチオン性ポリマー、アニオン性ポリマー、ノニオン性ポリマー、及び両性ポリマーが挙げられる。
【００６２】
毛髪化粧料が成分（Ａ１）を含有する場合、成分（Ａ１）のケーキングを抑制し、再分散性を良好にする観点から、成分（Ｂ）’としてカチオン性ポリマーを用いることが好ましい。
成分（Ａ１）である干渉パール顔料は比重の高い板状無機粉末であるため、低粘度の毛髪化粧料中で沈降して容器底部に堆積し、硬く固まりやすい（ハードケーキングしやすい）という傾向がある。しかしながら毛髪化粧料がカチオン性ポリマーを含有すると、負に帯電した成分（Ａ１）の表面と、カチオン性ポリマーとの静電相互作用により嵩高い軟凝集体を形成して沈降するので、沈降後もハードケーキングすることなく、容器の振盪により容易に再分散できると考えられる。
【００６３】
本明細書においてカチオン性ポリマーとは、カチオン基、又は、イオン化されてカチオン基になり得る基（以下、当該基をまとめて「カチオン性基」ともいう）を有する水溶性のポリマーをいう。なお、本発明に用いるカチオン性ポリマーは、後述する成分（Ｃ）である非水溶媒への分散性が良好であるものが好ましい。
【００６４】
カチオン性ポリマーのカチオン電荷密度は、成分（Ａ１）のケーキング抑制及び再分散性向上の観点から、好ましくは０．０５ｍｅｑ／ｇ以上、より好ましくは０．１ｍｅｑ／ｇ以上、さらに好ましくは０．２ｍｅｑ／ｇ以上、よりさらに好ましくは０．４ｍｅｑ／ｇ以上、よりさらに好ましくは０．５ｍｅｑ／ｇ以上であり、また、好ましくは６．５ｍｅｑ／ｇ以下、より好ましくは３．８ｍｅｑ／ｇ以下、さらに好ましくは２．５ｍｅｑ／ｇ以下、よりさらに好ましくは２．０ｍｅｑ／ｇ以下、よりさらに好ましくは１．５ｍｅｑ／ｇ以下である。カチオン性ポリマーのカチオン電荷密度の具体的範囲は、好ましくは０．０５〜６．５ｍｅｑ／ｇ、より好ましくは０．１〜３．８ｍｅｑ／ｇ、さらに好ましくは０．２〜２．５ｍｅｑ／ｇ、よりさらに好ましくは０．４〜２．０ｍｅｑ／ｇ、よりさらに好ましくは０．５〜１．５ｍｅｑ／ｇである。
カチオン性ポリマーのカチオン電荷密度とは、カチオン性ポリマー１ｇあたりに含有されるカチオン性基のモル数×１０００（ｍｅｑ／ｇ）をいう。
カチオン性ポリマーは２種以上用いてもよく、この場合のカチオン性ポリマーのカチオン電荷密度は、それぞれのカチオン性ポリマーのカチオン電荷密度と配合量から加重平均を算出することにより求められる。
【００６５】
カチオン性ポリマーの具体例としては、カチオン化グアガム（Ｊａｇｕａｒ  Ｅｘｃｅｌ（Ｓｏｌｖａｙ（Ｎｏｖｅｃａｒｅ）社製））、カチオン化タラガム（カチナール  ＣＴＲ−１００（東邦化学工業（株）製））、カチオン化ローカストビーンガム（カチナール  ＣＬＢ−１００（東邦化学工業（株）製））、カチオン化ポリビニルアルコール（ゴーセネックスＫ−４３４（日本合成化学工業（株）製）、ＣＭ３１８（（株）クラレ製））、ビニルピロリドン・Ｎ，Ｎ−ジメチルアミノエチルメタクリル酸共重合体ジエチル硫酸塩（Ｈ・ＣポリマーＩＳ（Ｍ）、Ｈ・Ｃポリマー２等（大阪有機化学工業（株）製））、ビニルピロリドン・ジメチルアミノプロピルメタクリルアミド・ラウリルジメチルアミノプロピルメタクリルアミド共重合体（スタイラーゼＷ−２０（アシュランド社製））、ポリ塩化ジメチルメチレンピペリジニウム（マーコート１００（ルブリゾル社製））、塩化ジメチルジアリルアンモニウム・アクリルアミド共重合体（マーコート５５０（ルブリゾル社製））、ビニルピロリドン・Ｎ，Ｎ−ジメチルアミノエチルメタクリル酸共重合体ジエチル硫酸塩（ガフカット７３４（アシュランド社製））、ビニルピロリドン・Ｎ，Ｎ−ジメチルアミノエチルメタクリル酸共重合体（ガフカット４４０（アシュランド社製））、Ｎ，Ｎ−ジメチルアミノエチルメタクリル酸ジエチル硫酸塩・Ｎ，Ｎ−ジメチルアクリルアミド・ジメタクリル酸ポリエチレングリコール共重合体（ポリクオタニウム−５２）（ソフケア  ＫＧ−１０１−Ｅ、ソフケア  ＫＧ−１０１Ｗ−Ｅ、ソフケア  ＫＧ−３０１Ｐ等（花王（株）製））、アンモニウム変性ヒドロキシエチルセルロース（ソフトキャット  ＳＬ−３０  ポリマー（ダウケミカル社製））、アクリルアミド／アクリル酸ＤＭＡＰＡ／メタクリル酸メトキシＰＥＧコポリマー、等が挙げられ、これらは１種又は２種以上を組み合わせて用いることができる。
【００６６】
これらのうち、成分（Ａ１）のケーキング抑制及び再分散性向上の観点、並びに、毛髪化粧料が一時染毛剤である場合の、染毛後の色移りの少なさ及び毛髪の感触向上の観点から、カチオン性ポリマーとしては塩化ジメチルジアリルアンモニウム・アクリルアミド共重合体、ビニルピロリドン・Ｎ，Ｎ−ジメチルアミノエチルメタクリル酸共重合体ジエチル硫酸塩、Ｎ，Ｎ−ジメチルアミノエチルメタクリル酸ジエチル硫酸塩・Ｎ，Ｎ−ジメチルアクリルアミド・ジメタクリル酸ポリエチレングリコール共重合体（ポリクオタニウム−５２）、アンモニウム変性ヒドロキシエチルセルロース、及び、アクリルアミド／アクリル酸ＤＭＡＰＡ／メタクリル酸メトキシＰＥＧコポリマーからなる群から選ばれる１種以上が好ましく、塩化ジメチルジアリルアンモニウム・アクリルアミド共重合体、ビニルピロリドン・Ｎ，Ｎ−ジメチルアミノエチルメタクリル酸共重合体ジエチル硫酸塩、及びＮ，Ｎ−ジメチルアミノエチルメタクリル酸ジエチル硫酸塩・Ｎ，Ｎ−ジメチルアクリルアミド・ジメタクリル酸ポリエチレングリコール共重合体（ポリクオタニウム−５２）からなる群から選ばれる１種以上がより好ましく、Ｎ，Ｎ−ジメチルアミノエチルメタクリル酸ジエチル硫酸塩・Ｎ，Ｎ−ジメチルアクリルアミド・ジメタクリル酸ポリエチレングリコール共重合体（ポリクオタニウム−５２）がさらに好ましい。
【００６７】
毛髪化粧料において成分（Ｂ）’を用いる場合、毛髪化粧料中の成分（Ｂ）’の含有量は、毛髪化粧料を前記所定の粘度範囲に調整する観点、及び、成分（Ａ１）のケーキング抑制及び再分散性向上の観点から、好ましくは０．０５質量％以上、より好ましくは０．１質量％以上、さらに好ましくは０．２質量％以上であり、好ましくは５質量％以下、より好ましくは３質量％以下、さらに好ましくは２．５質量％以下、よりさらに好ましくは１質量％以下である。毛髪化粧料中の成分（Ｂ）’の含有量の具体的範囲は、好ましくは０．０５〜５質量％、より好ましくは０．１〜３質量％、さらに好ましくは０．１〜２．５質量％、よりさらに好ましくは０．２〜１質量％である。
【００６８】
（成分（Ｃ）：非水溶媒）
成分（Ｃ）である非水溶媒は、毛髪化粧料中の成分（Ａ）及び成分（Ｂ）、並びにその他の成分を分散又は溶解する目的で用いられる。非水溶媒は水以外の溶媒であり、毛髪化粧料中の各成分を分散又は溶解する観点、塗布性及び塗布後の乾燥速度の向上の観点から、揮発性の極性溶媒を含有することが好ましい。
揮発性の極性溶媒としては、好ましくは炭素数６以下、より好ましくは炭素数４以下の、アルコール、エステル及びケトンからなる群から選ばれる１種以上が挙げられ、炭素数４以下のアルコールを含有することが好ましい。炭素数４以下のアルコールとしては、エタノール、１−プロパノール、２−プロパノール、１−ブタノール、２−ブタノール等が挙げられる。当該アルコールの中でも、エタノール及び２−プロパノールからなる群から選ばれる１種以上がより好ましく、エタノールがさらに好ましい。
成分（Ｃ）中のエタノール及び２−プロパノールからなる群から選ばれる１種以上の含有量は、塗布性及び塗布後の乾燥速度の向上の観点、毛髪化粧料が一時染毛剤である場合に、黒髪などの暗い色の毛髪、及びブリーチ毛などの明るい色の毛髪に対しても明度変化を小さくする観点から、好ましくは３０質量％以上、より好ましくは５０質量％以上、さらに好ましくは８０質量％以上、よりさらに好ましくは８５質量％以上であり、上限は１００質量％である。また、成分（Ｃ）中のエタノールの含有量は、塗布性及び塗布後の乾燥速度の向上の観点、毛髪化粧料が一時染毛剤である場合に、黒髪などの暗い色の毛髪、及びブリーチ毛などの明るい色の毛髪に対しても明度変化を小さくする観点から、好ましくは３０質量％以上、より好ましくは５０質量％以上、さらに好ましくは８０質量％以上であり、上限は１００質量％である。
【００６９】
毛髪化粧料中の成分（Ｃ）の含有量は、毛髪化粧料を前記所定の粘度範囲に調整する観点、毛髪化粧料中の各成分を分散又は溶解する観点、並びに、塗布性及び塗布後の乾燥速度の向上の観点から、好ましくは３０質量％以上、より好ましくは５０質量％以上、さらに好ましくは７０質量％以上であり、好ましくは９７質量％以下である。
【００７０】
なお、毛髪化粧料中の水の含有量は、塗布後の乾燥が早く、使用時の取り扱い性が良好にし、毛髪化粧料が一時染毛剤である場合には、ブリーチ毛などの明るい色の毛髪に対する明度変化を小さくする観点から、好ましくは４０質量％以下であり、より好ましくは３０質量％以下であり、さらに好ましくは２０質量％以下であり、よりさらに好ましくは１５質量％以下であり、よりさらに好ましくは１０質量％以下、よりさらに好ましくは５質量％以下、よりさらに好ましくは２質量％以下、よりさらに好ましくは１質量％以下であり、下限は０質量％である。
【００７１】
（シリコーン油）
毛髪化粧料は、成分（Ｂ）及び成分（Ｂ）’の分散性向上の観点、及び、毛髪化粧料が一時染毛剤である場合の、染毛後の毛髪の感触向上の観点から、さらにシリコーン油を含有することができる。
シリコーン油としては、２５℃における動粘度が２００ｍｍ２／ｓ以下の、フェニル変性シリコーン及びジメチルシリコーンが好ましいものとして挙げられる。
フェニル変性シリコーンとしては、メチルフェニルポリシロキサン（ジフェニルジメチコン）、フェニルメチコン、フェニルトリメチコン等が挙げられる。具体的には、ＫＦ−５０−１００ｃｓ（２５℃の動粘度１００ｍｍ２／ｓ）、ＫＦ−５３（同１７５ｍｍ２／ｓ）、ＫＦ−５６（同１４ｍｍ２／ｓ）（以上、信越化学工業（株）製）、ＳＨ  ５５６  ＦＬＵＩＤ（同１４ｍｍ２／ｓ）（東レ・ダウコーニング（株）製）等が挙げられる。
ジメチルシリコーンとしては、ジメチルポリシロキサン（ジメチコン）が挙げられる。具体的には、ＫＦ−９６Ａ−２００ｃｓ（２５℃の動粘度２００ｍｍ２／ｓ）、ＫＦ−９６Ａ−１００ｃｓ（同１００ｍｍ２／ｓ）、ＫＦ−９６Ａ−５０ｃｓ（同５０ｍｍ２／ｓ）、ＫＦ−９６Ａ−３０ｃｓ（同３０ｍｍ２／ｓ）、ＫＦ−９６Ａ−２０ｃｓ（同２０ｍｍ２／ｓ）、ＫＦ−９６Ａ−１０ｃｓ（同１０ｍｍ２／ｓ）、ＫＦ−９６Ａ−６ｃｓ（同６ｍｍ２／ｓ）、ＫＦ−９６Ａ−５ｃｓ（同５ｍｍ２／ｓ）、ＫＦ−９６Ｌ−２ＣＳ（同２ｍｍ２／ｓ）、ＫＦ−９６Ｌ−１．５ｃｓ（同１．５ｍｍ２／ｓ）、ＫＦ−９６Ｌ−１ｃｓ（同１ｍｍ２／ｓ）（以上、信越化学工業（株）製）、ＳＨ２００  Ｃ  Ｆｌｕｉｄ  ２００ｃｓ（同２００ｍｍ２／ｓ）、ＳＨ２００  Ｃ  Ｆｌｕｉｄ  １００ｃｓ（同１００ｍｍ２／ｓ）、ＳＨ２００  Ｃ  Ｆｌｕｉｄ  ５０ｃｓ（同５０ｍｍ２／ｓ）、ＳＨ２００  Ｃ  Ｆｌｕｉｄ  ３０ｃｓ（同３０ｍｍ２／ｓ）、ＳＨ２００  Ｃ  Ｆｌｕｉｄ  ２０ｃｓ（同２０ｍｍ２／ｓ）、ＳＨ２００  Ｃ  Ｆｌｕｉｄ  １０ｃｓ（同１０ｍｍ２／ｓ）、ＳＨ２００  Ｃ  Ｆｌｕｉｄ  ６ｃｓ（同６ｍｍ２／ｓ）、ＳＨ２００  Ｃ  Ｆｌｕｉｄ  ５ｃｓ（同５ｍｍ２／ｓ）、ＳＨ２００  Ｃ  Ｆｌｕｉｄ  ２ＣＳ（同２ｍｍ２／ｓ）、ＳＨ２００  Ｃ  Ｆｌｕｉｄ  １．５ｃｓ（同１．５ｍｍ２／ｓ）、ＳＨ２００  Ｃ  Ｆｌｕｉｄ  １ｃｓ（同１ｍｍ２／ｓ）（以上、東レ・ダウコーニング（株）製）等が挙げられる。
【００７２】
シリコーン油は、成分（Ｂ）及び成分（Ｂ）’の分散性向上の観点、及び、毛髪化粧料が一時染毛剤である場合の、染毛後の毛髪の感触向上の観点から、２５℃における動粘度が、好ましくは２００ｍｍ２／ｓ以下、より好ましくは１５０ｍｍ２／ｓ以下、さらに好ましくは１００ｍｍ２／ｓ以下である。上記動粘度は、ＪＩＳ  Ｚ８８０３：２０１１「液体の粘度測定方法」に基づき、ウベローデ粘度計を用いて２５℃で測定できる。
【００７３】
上記シリコーン油は１種又は２種以上を組み合わせて用いることができる。
毛髪化粧料中のシリコーン油の含有量は、成分（Ｂ）及び成分（Ｂ）’の分散性向上の観点、及び、毛髪化粧料が一時染毛剤である場合の、染毛後の毛髪の感触向上の観点から、好ましくは０．１質量％以上、より好ましくは０．５質量％以上、さらに好ましくは１質量％以上であり、好ましくは２０質量％以下、より好ましくは１５質量％以下、さらに好ましくは１０質量％以下である。毛髪化粧料中のシリコーン油の含有量の具体的範囲は、好ましくは０．１〜２０質量％、より好ましくは０．５〜１５質量％、さらに好ましくは１〜１０質量％である。
【００７４】
（その他の成分）
毛髪化粧料には、前記成分以外に、通常化粧料に用いられる成分を添加することができる。当該成分としては、アルカリ剤；界面活性剤；油脂、難揮発性炭化水素類等の油剤；増粘剤；ＬＰＧ（液化石油ガス）、ペンタン、ジメチルエーテル、ジエチルエーテル等の噴射剤；その他、香料、防腐剤、紫外線吸収剤、キレート剤、酸化防止剤、植物抽出物等を例示することができる。
【００７５】
毛髪化粧料の製造方法は特に制限されず、前記各成分を公知の装置で撹拌、混合することにより製造できる。
【００７６】
＜製品形態、使用方法＞
本発明の毛髪用化粧品は、マスカラタイプの染毛剤化粧品、特にマスカラタイプの一時染毛剤化粧品としてより好適である。
本発明の毛髪用化粧品は、蓋をした状態の容器を手などで振盪させて液状の毛髪化粧料Ｌを均一に再分散させた後に、容器１から塗布具２を取り出して使用することが好ましい。
容器１から塗布具２を取り出したら、使用者は、塗布具２の容器蓋部５を把持し、塗布体４を毛髪表面に押し当てて動かすことにより、塗布体４に含浸されている液状の毛髪化粧料Ｌを毛髪に塗布することができる。具体的には、液状の毛髪化粧料Ｌを塗布する毛束を選択し、使用者が指又は従来よりヘアケアに使用されているクリップなどにより、前記毛束の一部を挟んで固定し、毛束の根本から毛先に向けて塗布具２の容器蓋部５を把持し、塗布体４を毛髪表面に押し当てて動かすことにより、塗布体４に含浸されている液状の毛髪化粧料Ｌを毛髪に塗布することができる。
塗布体４が塗布軸３の周方向に回転可能に保持されている場合は、塗布軸３の軸方向と略直交方向に塗布具２を動かすと、塗布体４を塗布軸３の周方向に回転させながら塗布できるので、塗布の途中で液切れを起こしにくく、一度の操作でムラなく塗布できる点で好ましい。
【００７７】
上述の実施形態に関し、本発明は以下の毛髪用化粧品、及び、液状の毛髪化粧料を塗布具により毛髪に塗布する方法を開示する。
＜１＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５，０００ｍＰａ・ｓ以下であり、
前記塗布体は、密度が１５ｋｇ／ｍ３以上、好ましくは２０ｋｇ／ｍ３以上、より好ましくは２２ｋｇ／ｍ３以上、さらに好ましくは２５ｋｇ／ｍ３以上であり、９５ｋｇ／ｍ３以下、好ましくは９３ｋｇ／ｍ３以下、より好ましくは９０ｋｇ／ｍ３以下の吸収性部材を備え、且つ該吸収性部材は前記塗布軸の一端の全周を被覆してなる、毛髪用化粧品。
＜２＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５，０００ｍＰａ・ｓ以下であり、
前記塗布体は、密度が１５ｋｇ／ｍ３以上、好ましくは２０ｋｇ／ｍ３以上、より好ましくは２２ｋｇ／ｍ３以上、さらに好ましくは２５ｋｇ／ｍ３以上であり、９５ｋｇ／ｍ３以下、好ましくは９３ｋｇ／ｍ３以下、より好ましくは９０ｋｇ／ｍ３以下の吸収性部材から構成され、且つ該塗布体は前記塗布軸の一端の全周を被覆してなる、毛髪用化粧品。
＜３＞
前記毛髪化粧料の２５℃における粘度が０ｍＰａ・ｓ超、好ましくは１ｍＰａ・ｓ以上、より好ましくは５ｍＰａ・ｓ以上、さらに好ましくは１０ｍＰａ・ｓ以上であり、好ましくは３，０００ｍＰａ・ｓ以下、より好ましくは２，０００ｍＰａ・ｓ以下、さらに好ましくは１，５００ｍＰａ・ｓ以下、よりさらに好ましくは１，０００ｍＰａ・ｓ以下、よりさらに好ましくは８００ｍＰａ・ｓ以下、よりさらに好ましくは５００ｍＰａ・ｓ以下、よりさらに好ましくは３００ｍＰａ・ｓ以下、よりさらに好ましくは１５０ｍＰａ・ｓ以下である＜１＞又は＜２＞に記載の毛髪用化粧品。
＜４＞
前記毛髪化粧料が、下記成分（Ａ）〜（Ｃ）を含有する＜１＞〜＜３＞のいずれか１に記載の毛髪用化粧品。
（Ａ）着色剤
（Ｂ）シリコーン構造を有する皮膜形成性ポリマー
（Ｃ）非水溶媒
＜５＞
前記毛髪化粧料中の成分（Ａ）の含有量が、２．０質量％以上１２．０質量％以下であり、成分（Ｂ）の含有量が、１質量％以上３０質量％以下であり、成分（Ｃ）の含有量が、３０質量％以上９７質量％以下である＜１＞〜＜４＞のいずれか１に記載の毛髪用化粧品。
＜６＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が１ｍＰａ・ｓ以上２，０００ｍＰａ・ｓ以下であり、下記成分（Ａ）〜（Ｃ）：
（Ａ）着色剤：２．０質量％以上１２．０質量％以下
（Ｂ）シリコーン構造を有する皮膜形成性ポリマー：１質量％以上３０質量％以下
（Ｃ）非水溶媒：３０質量％以上９７質量％以下
を含有し、
前記塗布体は、密度が１５ｋｇ／ｍ３以上９５ｋｇ／ｍ３以下の吸収性部材を備え、且つ該吸収性部材は前記塗布軸の一端の全周を被覆してなる、毛髪用化粧品。
＜７＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５ｍＰａ・ｓ以上１，５００ｍＰａ・ｓ以下であり、下記成分（Ａ）〜（Ｃ）：
（Ａ）着色剤：２．０質量％以上１２．０質量％以下
（Ｂ）シリコーン構造を有する皮膜形成性ポリマー：１質量％以上３０質量％以下
（Ｃ）非水溶媒：３０質量％以上９７質量％以下
を含有し、
前記塗布体は、密度が１５ｋｇ／ｍ３以上９５ｋｇ／ｍ３以下であり、外径が５〜３５ｍｍであり、厚みが０．５〜８ｍｍであり、塗布軸方向の長さが１０〜６０ｍｍの吸収性部材を備え、且つ該吸収性部材は前記塗布軸の一端の全周を被覆してなる、毛髪用化粧品。
＜８＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５ｍＰａ・ｓ以上１，５００ｍＰａ・ｓ以下であり、下記成分（Ａ）〜（Ｃ）：
（Ａ）着色剤：２．０質量％以上１２．０質量％以下
（Ｂ）シリコーン構造を有する皮膜形成性ポリマー：１質量％以上３０質量％以下
（Ｃ）非水溶媒：３０質量％以上９７質量％以下
を含有し、
前記塗布体は、密度が１５ｋｇ／ｍ３以上９５ｋｇ／ｍ３以下であり、外径が８〜２５ｍｍであり、厚みが１〜６ｍｍであり、塗布軸方向の長さが１５〜５０ｍｍの吸収性部材を備え、且つ該吸収性部材は前記塗布軸の一端の全周を被覆してなる、毛髪用化粧品。
＜９＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が５ｍＰａ・ｓ以上１，５００ｍＰａ・ｓ以下であり、下記成分（Ａ）〜（Ｃ）：
（Ａ）着色剤：２．０質量％以上１２．０質量％以下
（Ｂ）シリコーン構造を有する皮膜形成性ポリマー：１質量％以上３０質量％以下
（Ｃ）非水溶媒：３０質量％以上９７質量％以下
を含有し、
前記塗布体は、密度が１５ｋｇ／ｍ３以上９５ｋｇ／ｍ３以下であり、外径が１０〜１５ｍｍであり、厚みが１．５〜４ｍｍであり、塗布軸方向の長さが２０〜４０ｍｍの吸収性部材を備え、且つ該吸収性部材は前記塗布軸の一端の全周を被覆してなる、毛髪用化粧品。
＜１０＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が１０ｍＰａ・ｓ以上３００ｍＰａ・ｓ以下であり、下記成分（Ａ）〜（Ｃ）：
（Ａ）着色剤：２．０質量％以上１２．０質量％以下
（Ｂ）シリコーン構造を有する皮膜形成性ポリマー：１質量％以上３０質量％以下
（Ｃ）非水溶媒：３０質量％以上９７質量％以下
を含有し、
前記塗布体は、密度が１５ｋｇ／ｍ３以上９５ｋｇ／ｍ３以下の吸収性部材を備え、且つ該吸収性部材は前記塗布軸の一端の全周を被覆してなる、毛髪用化粧品。
＜１１＞
液状の毛髪化粧料が内部に収容された容器と、
塗布軸の一端に塗布体を備え且つ他端に容器蓋部を備えた塗布具と、を有する毛髪用化粧品であって、
前記毛髪化粧料は、２５℃における粘度が１０ｍＰａ・ｓ以上３００ｍＰａ・ｓ以下であり、下記成分（Ａ）〜（Ｃ）：
（Ａ）着色剤：２．０質量％以上１２．０質量％以下
（Ｂ）シリコーン構造を有する皮膜形成性ポリマー：１質量％以上３０質量％以下
（Ｃ）非水溶媒：３０質量％以上９７質量％以下
を含有し、
前記塗布体は、密度が１５ｋｇ／ｍ３以上９５ｋｇ／ｍ３以下であり、外径が１０〜１５ｍｍであり、厚みが１．５〜４ｍｍであり、塗布軸方向の長さが２０〜４０ｍｍの吸収性部材を備え、且つ該吸収性部材は前記塗布軸の一端の全周を被覆してなる、毛髪用化粧品。
【００７８】
＜１２＞
前記塗布体の前記吸収性部材による被覆割合が、該塗布体の外表面の５０％以上、好ましくは７０％以上、より好ましくは９０％以上、さらに好ましくは１００％である＜１＞〜＜１１＞のいずれか１に記載の毛髪用化粧品。
＜１３＞
前記塗布体が、前記吸収性部材から構成されたものであり、且つ前記塗布体は前記塗布軸の一端の全周を被覆してなる、＜１＞〜＜１２＞のいずれか１に記載の毛髪用化粧品。
＜１４＞
前記塗布具において、前記塗布体は、前記塗布軸の周方向に回転可能に保持されている＜１＞〜＜１３＞のいずれか１に記載の毛髪用化粧品。
＜１５＞
前記吸収性部材の材質が、ポリウレタンである＜１＞〜＜１４＞のいずれか１に記載の毛髪用化粧品。
＜１６＞
前記塗布体が、塗布軸の一端の全周を被覆してなる略円筒形状の吸収性部材を備える＜１＞〜＜１５＞のいずれか１に記載の毛髪用化粧品。
＜１７＞
前記塗布体が、塗布軸の一端の全周を被覆してなる略円筒形状の吸収性部材から構成される＜１＞〜＜１５＞のいずれか１に記載の毛髪用化粧品。
＜１８＞
前記容器が、頸部内に扱き部材を備える＜１＞〜＜１７＞のいずれか１に記載の毛髪用化粧品。
＜１９＞
成分（Ａ）が好ましくは干渉パール顔料（Ａ１）及び干渉パール顔料以外の着色剤（Ａ２）を含む＜３＞〜＜１８＞のいずれか１に記載の毛髪用化粧品。
＜２０＞
前記毛髪化粧料中の成分（Ａ１）の含有量が、好ましくは１．５質量％以上、より好ましくは２．５質量％以上、さらに好ましくは３．０質量％以上、よりさらに好ましくは３．５質量％以上、よりさらに好ましくは４．０質量％以上であり、好ましくは１０質量％以下、より好ましくは９．５質量％以下、さらに好ましくは９．０質量％以下、さらに好ましくは８．５質量％以下である＜１９＞に記載の毛髪用化粧品。
＜２１＞
前記毛髪化粧料中の成分（Ａ２）の含有量が、好ましくは０．５質量％以上、より好ましくは０．８質量％以上、さらに好ましくは１．０質量％以上であり、好ましくは８．０質量％以下、より好ましくは７．０質量％以下、さらに好ましくは６．０質量％以下、さらに好ましくは５．０質量％以下、よりさらに好ましくは４．０質量％以下である＜１９＞又は＜２０＞に記載の毛髪用化粧品。
＜２２＞
前記毛髪化粧料中の成分（Ａ）の含有量が、好ましくは３．０質量％以上、より好ましくは３．５質量％以上、さらに好ましくは４．０質量％以上、よりさらに好ましくは５．０質量％以上、よりさらに好ましくは６．０質量％以上であり、好ましくは１１．０質量％以下、より好ましくは１０．０質量％以下、さらに好ましくは９．５質量％以下である＜３＞〜＜２１＞のいずれか１に記載の毛髪用化粧品。
＜２３＞
成分（Ａ１）及び成分（Ａ２）の合計含有量に対する成分（Ａ１）の質量比［（Ａ１）／｛（Ａ１）＋（Ａ２）｝］が、好ましくは０．３０以上、より好ましくは０．４０以上、さらに好ましくは０．５０以上、よりさらに好ましくは０．６０以上であり、好ましくは０．９６以下、より好ましくは０．９４以下、さらに好ましくは０．９２以下、よりさらに好ましくは０．９０以下である＜１９＞〜＜２２＞のいずれか１に記載の毛髪用化粧品。
＜２４＞
成分（Ｂ）が好ましくはポリ（Ｎ−アシルアルキレンイミン）変性オルガノポリシロキサン、より好ましくは主鎖を構成するオルガノポリシロキサンセグメントのケイ素原子の少なくとも２つに、ヘテロ原子を含むアルキレン基を介して、下記一般式（１）で表される繰り返し単位からなるポリ（Ｎ−アシルアルキレンイミン）セグメントが結合してなるオルガノポリシロキサン、さらに好ましくはポリ（Ｎ−ホルミルエチレンイミン）オルガノシロキサン、ポリ（Ｎ−アセチルエチレンイミン）オルガノシロキサン、及びポリ（Ｎ−プロピオニルエチレンイミン）オルガノシロキサンからなる群から選ばれる１種又は２種以上、よりさらに好ましくはポリ（Ｎ−プロピオニルエチレンイミン）オルガノシロキサン、よりさらに好ましくはポリ（Ｎ−プロピオニルエチレンイミン）メチルシロキサンである＜４＞〜＜２３＞のいずれか１に記載の毛髪用化粧品。
【化４】
2020168354.tif 000006
〔式中、Ｒ1は水素原子、炭素数１以上２２以下のアルキル基、炭素数７以上２２以下のアラルキル基、又は炭素数６以上２２以下のアリール基を示し、ｎは２又は３を示す。〕
【００７９】
＜２５＞
前記毛髪化粧料中の成分（Ｂ）の含有量が、好ましくは２質量％以上、より好ましくは３質量％以上、さらに好ましくは４質量％以上であり、好ましくは２０質量％以下、より好ましくは１５質量％以下、さらに好ましくは１２質量％以下である＜４＞〜＜２４＞のいずれか１に記載の毛髪用化粧品。
＜２６＞
前記毛髪化粧料中の成分（Ａ）に対する成分（Ｂ）の質量比［（Ｂ）／（Ａ）］が、好ましくは０．２以上、より好ましくは０．５以上、さらに好ましくは０．８以上であり、好ましくは３以下、より好ましくは１．４以下、さらに好ましくは１．２以下である＜４＞〜＜２５＞のいずれか１に記載の毛髪用化粧品。
＜２７＞
前記毛髪化粧料が、さらに成分（Ｂ）’として、成分（Ｂ）以外のポリマー、好ましくはカチオン性ポリマーを含有する＜４＞〜＜２６＞のいずれか１に記載の毛髪用化粧品。
＜２８＞
前記カチオン性ポリマーのカチオン電荷密度が、好ましくは０．０５ｍｅｑ／ｇ以上、より好ましくは０．１ｍｅｑ／ｇ以上、さらに好ましくは０．２ｍｅｑ／ｇ以上、よりさらに好ましくは０．４ｍｅｑ／ｇ以上、よりさらに好ましくは０．５ｍｅｑ／ｇ以上であり、好ましくは６．５ｍｅｑ／ｇ以下、より好ましくは３．８ｍｅｑ／ｇ以下、さらに好ましくは２．５ｍｅｑ／ｇ以下、よりさらに好ましくは２．０ｍｅｑ／ｇ以下、よりさらに好ましくは１．５ｍｅｑ／ｇ以下である＜２７＞に記載の毛髪用化粧品。
＜２９＞
前記カチオン性ポリマーが、カチオン化グアガム、カチオン化タラガム、カチオン化ローカストビーンガム、カチオン化ポリビニルアルコール、ビニルピロリドン・Ｎ，Ｎ−ジメチルアミノエチルメタクリル酸共重合体ジエチル硫酸塩、ビニルピロリドン・ジメチルアミノプロピルメタクリルアミド・ラウリルジメチルアミノプロピルメタクリルアミド共重合体、ポリ塩化ジメチルメチレンピペリジニウム、塩化ジメチルジアリルアンモニウム・アクリルアミド共重合体、ビニルピロリドン・Ｎ，Ｎ−ジメチルアミノエチルメタクリル酸共重合体ジエチル硫酸塩、ビニルピロリドン・Ｎ，Ｎ−ジメチルアミノエチルメタクリル酸共重合体、Ｎ，Ｎ−ジメチルアミノエチルメタクリル酸ジエチル硫酸塩・Ｎ，Ｎ−ジメチルアクリルアミド・ジメタクリル酸ポリエチレングリコール共重合体、アンモニウム変性ヒドロキシエチルセルロース、及びアクリルアミド／アクリル酸ＤＭＡＰＡ／メタクリル酸メトキシＰＥＧコポリマーからなる群から選ばれる１種以上、好ましくは塩化ジメチルジアリルアンモニウム・アクリルアミド共重合体、ビニルピロリドン・Ｎ，Ｎ−ジメチルアミノエチルメタクリル酸共重合体ジエチル硫酸塩、Ｎ，Ｎ−ジメチルアミノエチルメタクリル酸ジエチル硫酸塩・Ｎ，Ｎ−ジメチルアクリルアミド・ジメタクリル酸ポリエチレングリコール共重合体、アンモニウム変性ヒドロキシエチルセルロース、及び、アクリルアミド／アクリル酸ＤＭＡＰＡ／メタクリル酸メトキシＰＥＧコポリマーからなる群から選ばれる１種以上、より好ましくは塩化ジメチルジアリルアンモニウム・アクリルアミド共重合体、ビニルピロリドン・Ｎ，Ｎ−ジメチルアミノエチルメタクリル酸共重合体ジエチル硫酸塩、及びＮ，Ｎ−ジメチルアミノエチルメタクリル酸ジエチル硫酸塩・Ｎ，Ｎ−ジメチルアクリルアミド・ジメタクリル酸ポリエチレングリコール共重合体からなる群から選ばれる１種以上、さらに好ましくはＮ，Ｎ−ジメチルアミノエチルメタクリル酸ジエチル硫酸塩・Ｎ，Ｎ−ジメチルアクリルアミド・ジメタクリル酸ポリエチレングリコール共重合体である＜２７＞又は＜２８＞に記載の毛髪用化粧品。
＜３０＞
前記毛髪化粧料中の成分（Ｂ）’の含有量が、好ましくは０．０５質量％以上、より好ましくは０．１質量％以上、さらに好ましくは０．２質量％以上であり、好ましくは５質量％以下、より好ましくは３質量％以下、さらに好ましくは２．５質量％以下、よりさらに好ましくは１質量％以下である＜２７＞〜＜２９＞のいずれか１に記載の毛髪用化粧品。
＜３１＞
成分（Ｃ）中のエタノールの含有量が、好ましくは３０質量％以上、より好ましくは５０質量％以上、さらに好ましくは８０質量％以上である＜４＞〜＜３０＞のいずれか１に記載の毛髪用化粧品。
＜３２＞
前記毛髪化粧料中の成分（Ｃ）の含有量が、好ましくは５０質量％以上、より好ましくは７０質量％以上であり、好ましくは９７質量％以下である＜４＞〜＜３１＞のいずれか１に記載の毛髪用化粧品。
＜３３＞
前記毛髪化粧料中の水の含有量が、好ましくは４０質量％以下、より好ましくは３０質量％以下、さらに好ましくは２０質量％以下、よりさらに好ましくは１５質量％以下、よりさらに好ましくは１０質量％以下、よりさらに好ましくは５質量％以下、よりさらに好ましくは２質量％以下、よりさらに好ましくは１質量％以下である＜１＞〜＜３２＞のいずれか１に記載の毛髪用化粧品。
＜３４＞
前記毛髪化粧料が、さらにシリコーン油を、好ましくは０．１質量％以上、より好ましくは０．５質量％以上、さらに好ましくは１質量％以上であり、好ましくは２０質量％以下、より好ましくは１５質量％以下、さらに好ましくは１０質量％以下含有する＜１＞〜＜３３＞のいずれか１に記載の毛髪用化粧品。
【００８０】
＜３５＞
マスカラタイプの染毛剤化粧品、好ましくはマスカラタイプの一時染毛剤化粧品である＜１＞〜＜３４＞のいずれか１に記載の毛髪用化粧品。
＜３６＞
＜１＞〜＜３５＞のいずれか１に記載の毛髪用化粧品を用いて液状の毛髪化粧料を塗布具により毛髪に塗布する方法であって、
使用者が液状の毛髪化粧料を塗布する毛束を選択する工程と、
使用者が指又はクリップにより、前記毛束を挟んで固定する工程と、
前記塗布具の塗布体を毛髪表面に押し当てて動かす工程と、を含む方法。
【実施例】
【００８１】
以下、本発明を実施例により説明するが、本発明は実施例の範囲に限定されない。
【００８２】
（粘度測定）
毛髪化粧料（一時染毛剤）の粘度は、毛髪化粧料７０〜８０ｇをスクリュー管Ｎｏ．８（株式会社マルエム製、容量１１０ｍＬ）に入れ、均一になるよう手で約３０ｃｍの幅で１００回、３０秒間振盪し、さらに、1回／秒の速さで３０回倒立させた直後に、Ｂ型粘度計（ＴＶ−１０Ｍ、東機産業（株）製）により、粘度が１００ｍＰａ・ｓ以下ではローターＮｏ．Ｍ１を用い、回転速度１００ｒｐｍ、１００〜５００ｍＰａ・ｓの範囲ではローターＮｏ．Ｍ２を用い、回転速度６０ｒｐｍ、５００〜２，０００ｍＰａ・ｓの範囲ではローターＮｏ．Ｍ３を用い、回転速度６０ｒｐｍ、２，０００〜１０，０００ｍＰａ・ｓの範囲ではローターＮｏ．Ｍ４を用い、回転速度６０ｒｐｍの条件で、温度２５±１℃で１分間測定した。
【００８３】
（毛髪化粧料の調製）
表１に示す成分（Ａ１）及び成分（Ａ２）の混合物を調製後、成分（Ｃ）であるエタノールに添加し、均一になるまで混合した。ここに残りの成分を添加し、均一になるまで混合して、表１に記載の毛髪化粧料（一時染毛剤）を得た。
【００８４】
（塗布具の作製）
表２に示す吸収性部材（ポリウレタン製スポンジ）から構成される塗布体を用い、図６及び図７に示す形状の試験塗布具２１、並びに、図８及び図９に示す形状の比較用の試験塗布具２２を作製した。円筒状の塗布体を備えた塗布具の形状は試験塗布具２１、平板状の塗布体を備えた塗布具の形状は比較用の試験塗布具２２である。
図６は本実施形態に係る試験塗布具２１の側面図であり、図７にその斜視図を示した。図６及び図７において、３１は塗布軸、４１は塗布体である。試験塗布具２１の塗布体以外の部分の材質はポリプロピレンであり、塗布軸３１は円柱状、塗布体は円筒状であり、且つ塗布軸の周方向に回転可能に保持されたものである。図６における塗布体の塗布軸方向の長さｈ１は３０ｍｍ、外径ｄ１は１２ｍｍ、内径ｄ２は５．５ｍｍとした。
図８は比較用の試験塗布具２２を塗布軸の塗布体被覆面から見た側面図であり、図９にその斜視図を示した。図８及び図９において、３２は塗布軸、４２は塗布体である。比較用の試験塗布具２２の塗布体以外の部分の材質はポリプロピレンであり、塗布軸３２は角柱状、塗布体４２は平板状であって、塗布軸３２の一端に固定され且つ塗布軸の一端において側面の一部のみを被覆している。また、図８及び図９における塗布体４２の塗布軸方向の長さｈ２は３０ｍｍ、幅ｗは１２ｍｍ、厚さｔは２．５ｍｍとした。
【００８５】
（評価用トレスの準備）
長さ３０ｃｍ、質量１０ｇの黒髪トレス（ＢＳ−Ｂ３Ａ、株式会社ビューラックス製）を用意した。この黒髪トレスを下記組成のプレーンシャンプーで１回洗浄し、風乾したものを以下の評価に用いた。
〔プレーンシャンプーの組成〕
成分                                                      （質  量％）
ポリオキシエチレン（２）ラウリルエーテル硫酸ナトリウム（＊１）  １５．５
ラウリン酸ジエタノールアミド（＊２）                              １．５
エデト酸４ナトリウム塩                                            ０．３
安息香酸ナトリウム                                                １．４３
精製水                                                          残  量    
計                                                        １００．０
＊１：エマール２２７（花王（株）製、有効成分２７質量％）として４２．０質量％
＊２：アミノーンＬ−０２（花王（株）製）
【００８６】
実施例１〜１５、比較例１〜１６（毛髪用化粧品の評価）
表３及び表４に示す毛髪化粧料、及び塗布体を備えた試験塗布具の組み合わせからなる毛髪用化粧品を用いて、以下の方法により各種評価を行った。
＜毛髪化粧料の塗布体への含浸方法＞
液状の毛髪化粧料７０ｇをスクリュー管（Ｎｏ．８）に充填し、蓋を閉めた状態で上下に十分振盪させて着色剤を均一に分散させた。この毛髪化粧料中に、塗布具を塗布体側から挿入し、塗布体全体が毛髪化粧料に完全に浸漬した状態で１０秒間維持した後、塗布体を毛髪化粧料から引き上げた。このとき、図７及び図９に示すように、塗布軸の塗布体の他端側から扱き部材の扱き孔を通して塗布体が扱き孔を通過するように矢印方向に引き抜くことで、塗布体表面の過剰な毛髪化粧料を除去した。図７において、８１は試験塗布具２１に用いた扱き部材の斜視図であり、８１ｃは扱き孔である。また図９において、８２は比較用の試験塗布具２２に用いた扱き部材の斜視図であり、８２ｃは扱き孔である。
なお、扱き孔の形状は、塗布具の、塗布体及び塗布軸の軸方向に垂直な断面形状と相似形であり、扱き孔の面積は、その断面の断面積の１．３６倍である。また、扱き部材の塗布軸方向の厚さは２ｍｍである。
【００８７】
＜液保持量＞
毛髪化粧料を含浸させる前の塗布具の重さと、表１に示す毛髪化粧料を前記方法で塗布体に含浸させた後の塗布具の重さとを測定し、毛髪化粧料含浸前後の重さの差分から、塗布体が保持する液量（液保持量）を算出した。液保持量（ｇ）は、小数点３桁目を四捨五入し、表３及び表４に示した。
【００８８】
＜液保持性の良さ＞
表１に示す毛髪化粧料を前記方法で塗布具の塗布体に含浸させた後、塗布具を塗布軸方向が水平になるように傾けて１５分間静置し、毛髪化粧料の垂れ落ちの有無を目視観察した。さらに、５名の評価者により、前記評価用トレスに塗布した際の液の垂れ落ち（トレスからの垂れ落ち又は塗布具からの垂れ落ち）の有無を目視観察し、下記評価基準により評価を行った。
〔評価基準及びスコア〕
１    液保持後に傾けて静置した塗布具からも、塗布操作中に評価者の全員に液の垂れ落ちが見られなかった
２    液保持後に傾けて静置した塗布具からは液が垂れ落ちないが、塗布操作中に評価者のいずれかに液の垂れ落ちが見られた（実使用上許容できるレベル）
３    液保持後に傾けて静置した塗布具から液の垂れ落ちが見られた
【００８９】
＜一塗りで染められる長さ＞
表１に示す毛髪化粧料を前記方法で塗布具の塗布体に含浸させた後、前記評価用トレスの根本から毛先方向に塗布し、一塗りで染められた長さを測定した。一塗りで染められる長さ（ｃｍ）は小数点１桁目を四捨五入し、表３及び表４に示した。
【００９０】
＜一塗りでの染まりムラのなさ＞
表１に示す毛髪化粧料を前記方法で塗布具の塗布体に含浸させた後、前記評価用トレスの根本から毛先方向に一塗りで塗布し、風乾させた。塗布後のトレスについて、５名の専門パネラーにより、染まりムラの有無を目視観察し、下記評価基準により評価を行い、下記評定基準によるスコアを表３及び表４に示した。
〔評価基準〕
ａ    均一な仕上がり
ｂ    わずかな染まりムラがある（着色剤の凝集塊は見られないが、染まりに均一でない部分がある）
ｃ    明らかな染まりムラがある（着色剤の凝集塊が確認される）
〔評定基準及びスコア〕
１  「ｃ」評価を付与した人が０名で、かつ「ａ」評価が付与した人が２名以上
２  「ｃ」評価を付与した人が１名以下で、かつ「ａ」評価を付与した人が１名以下
３  「ｃ」評価を付与した人が２名以上
【００９１】
【表１】
2020168354.tif 000007
【００９２】
表１に記載の成分は下記である。また、表１に示す成分の配合量は有効量（質量％）である。
＊１：ＴＩＭＩＲＯＮ  ＳＵＰＥＲ  ＢＬＵＥ（メルク社製）
＊２：７０％黄色４０１号硫酸バリウム（癸巳化成（株）製）
＊３：Ｄ＆Ｃ  ＲＥＤ  Ｎｏ．３０（大東化成工業（株）製）
＊４：青色  ４０４号（法色規）（癸巳化成（株）製）
＊５：ＯＳ−８８Ｅ−Ｅ（花王（株）製）
＊６：ソフケア  ＫＧ−１０１−Ｅ（花王（株）製、カチオン電荷密度０．９４ｍｅｑ／ｇ）
＊７：シリコーン  ＳＨ  ５５６  ＦＬＵＩＤ（東レ・ダウコーニング（株）製）
【００９３】
【表２】
2020168354.tif 000008
【００９４】
【表３】
2020168354.tif 000009
【００９５】
【表４】
2020168354.tif 000010
【産業上の利用可能性】
【００９６】
本発明によれば、マスカラタイプの毛髪用化粧品、特に一時染毛剤化粧品として好適であり、塗布操作中に液垂れや液切れが生じ難く、長い髪に対しても毛髪の根元から毛先まで一度の操作でムラなく塗布できる毛髪用化粧品を提供できる。
【符号の説明】
【００９７】
１        容器
１ａ      容器の雄螺子
２、２１、２２  塗布具
３、３１、３２  塗布軸
４、４１、４２  塗布体
５        容器蓋部
５ａ      容器蓋部の雌螺子
６        回転体
７        塗布体ホルダ
８、８１、８２  扱き部材
８ａ      スリット
８ｂ      円板状の扱き部
８ｃ、８１ｃ、８２ｃ      扱き孔
９        撹拌球
１００    毛髪用化粧品
【図１】
2020168354.tif 000011
【図２】
2020168354.tif 000012
【図３】
2020168354.tif 000013
【図４】
2020168354.tif 000014
【図５】
2020168354.tif 000015
【図６】
2020168354.tif 000016
【図７】
2020168354.tif 000017
【図８】
2020168354.tif 000018
【図９】
2020168354.tif 000019